(57)【要約】【課題】保管時における湿度を管理することが可能なプロジェクターを提供する。【解決手段】プロジェクター１は、光源装置３０および光変調装置３４２を含む光学素子が収納される外装筐体１０と、外装筐体１０内部に収納され、プロジェクター１が非動作状態の場合、外装筐体１０内部の水分を吸収するシリカゲル５（吸湿部）と、外装筐体１０内部に収納され、プロジェクターが動作状態の場合、シリカゲル５を加熱する光源装置３０（加熱部）と、を備えている。【選択図】図３
2015001686.tif 000002
【特許請求の範囲】
【請求項１】
光源装置と、前記光源装置から射出された光束を画像情報に応じて変調する光変調装置とを備えるプロジェクターであって、
前記光源装置および前記光変調装置を含む光学素子が収納される筐体と、
前記筐体内部に収納され、前記プロジェクターが非動作状態の場合、前記筐体内部の水分を吸収する吸湿部と、
前記筐体内部に収納され、前記プロジェクターが動作状態の場合、前記吸湿部を加熱する加熱部と、
を備えていることを特徴とするプロジェクター。
【請求項２】
請求項１に記載のプロジェクターであって、
前記筐体内部に収納される前記光学素子を冷却する空気を流入する吸気口と、
前記筐体内部を流動して前記光学素子の熱を奪った空気を排出する排気口と、
前記プロジェクターが前記動作状態の場合には前記吸気口と前記排気口とを開放し、前記プロジェクターが前記非動作状態の場合には前記吸気口と前記排気口とを閉塞する開閉部と、
を備えていることを特徴とするプロジェクター。
【請求項３】
請求項１または請求項２に記載のプロジェクターであって、
前記加熱部の熱を前記吸湿部に伝達する伝達部を備えていることを特徴とするプロジェクター。
【請求項４】
請求項１〜請求項３のいずれか一項に記載のプロジェクターであって、
前記加熱部は、前記光源装置であることを特徴とするプロジェクター。
【請求項５】
請求項１〜請求項４のいずれか一項に記載のプロジェクターであって、
前記吸湿部は、二酸化珪素を含んで形成されていることを特徴とするプロジェクター。
【請求項６】
請求項１〜請求項４のいずれか一項に記載のプロジェクターであって、
前記吸湿部は、吸水性を有するポリマーで形成されていることを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて光変調装置で変調し、変調した光束を投写レンズで投写するプロジェクターが知られている。このようなプロジェクターは、筐体内部に、光源装置、光変調装置等を含む光学素子が収納されている。また、このような光学素子は、温度や湿度の影響により光学性能が劣化しやすい。
【０００３】
特許文献１では、レーザー光源とレーザー光を変調して映像光を生成する光変調ユニットとを収納する第１筐体と、圧縮機と放熱器と膨張弁と吸熱器とが冷媒配管を介して接続される冷媒回路を収納する第２筐体と、第１筐体の空気を第２筐体へ送出して吸熱器と熱交換させると共に、吸熱器と熱交換させた空気を第１筐体へ送出する送風手段と、を備えた投写型映像表示装置が開示されている。この構成により、レーザー光源を冷却しても結露することなく、レーザー光源の性能劣化を防止するとしている。
【先行技術文献】
【特許文献】
【０００４】
【特許文献１】特開２００９−１２２３８５号公報
【発明の概要】
【発明が解決しようとする課題】
【０００５】
しかしながら、上記投写型映像表示装置において、投写型映像表示装置が動作している状態（動作状態）では、送風手段等の動作により、レーザー光源の結露防止を行うとしているが、投写型映像表示装置が動作していない状態（非動作状態）では、レーザー光源や他の光学素子の結露防止を行うかは述べられていない。プロジェクターが非動作状態で使用されない、いわゆるプロジェクターの保管時等においては、通常、筐体内部の温度が低下することで飽和水蒸気量が低下して湿度が上昇する。そして、湿度が上昇することで、光学素子に結露が発生する虞がある。これにより、プロジェクターの保管時における湿度を管理することが課題となる。
従って、保管時における湿度を管理することが可能なプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターは、光源装置と、光源装置から射出された光束を画像情報に応じて変調する光変調装置とを備えるプロジェクターであって、（ａ）光源装置および光変調装置を含む光学素子が収納される筐体と、（ｂ）筐体内部に収納され、プロジェクターが非動作状態の場合、筐体内部の水分を吸収する吸湿部と、（ｃ）筐体内部に収納され、プロジェクターが動作状態の場合、吸湿部を加熱する加熱部と、を備えていることを特徴とする。
【０００８】
このようなプロジェクターによれば、筐体と吸湿部と加熱部とを備えている。そして、プロジェクターが非動作状態の場合には、吸湿部により、筐体内部の水分を吸収する。また、プロジェクターが動作状態の場合には、加熱部により、吸湿部を加熱する。この構成により、プロジェクターが非動作状態の場合（非使用時、例えば保管時等）には、吸湿部が筐体内部の水分を吸収することにより、筐体内部の湿度を低減させることができる。また、プロジェクターが動作状態の場合（使用時）には、加熱部が吸湿部を加熱することにより、吸湿部が吸収した水分を排出させることで、吸湿部を乾燥させることができる。これにより、保管時における筐体内部の湿度を管理することが可能となり、光源装置および光変調装置を含む光学素子の結露等を防止することで、光学素子の光学性能の劣化を防止することができる。また、加熱部により吸湿部を乾燥させることにより、吸湿部を繰り返して使用することができ、光学素子の光学性能の劣化防止を維持することができる。
【０００９】
［適用例２］上記適用例に係るプロジェクターにおいて、（ａ）筐体内部に収納される光学素子を冷却する空気を流入する吸気口と、（ｂ）筐体内部を流動して光学素子の熱を奪った空気を排出する排気口と、（ｃ）プロジェクターが動作状態の場合には吸気口と排気口とを開放し、プロジェクターが非動作状態の場合には吸気口と排気口とを閉塞する開閉部と、を備えていることが好ましい。
【００１０】
このようなプロジェクターによれば、吸気口と、排気口と、吸気口と排気口とを開閉する開閉部とを備えている。そして、開閉部は、プロジェクターが動作状態の場合に、吸気口と排気口とを開放する。また、開閉部は、プロジェクターが非動作状態の場合に、吸気口と排気口とを閉塞する。これにより、プロジェクターが非動作状態の場合（保管時）には、筐体内部を密閉状態とさせることができるため、筐体内部の吸湿と共に、筐体内部への湿気の流入を抑制することができる。これにより、保管時における筐体内部の吸湿効率を向上させることができる。
【００１１】
［適用例３］上記適用例に係るプロジェクターにおいて、加熱部の熱を吸湿部に伝達する伝達部を備えていることが好ましい。
【００１２】
このようなプロジェクターによれば、伝達部を備え、加熱部の熱を吸湿部に伝達することにより、吸湿部が吸収した水分を効率的に排出させることができる。
【００１３】
［適用例４］上記適用例に係るプロジェクターにおいて、加熱部は、光源装置であることが好ましい。
【００１４】
このようなプロジェクターによれば、加熱部が光源装置であることにより、光源装置で発生する熱を有効に利用することができる。また、別の加熱部を設置する必要が無くなり、プロジェクターの小型化を図ることができる。
【００１５】
［適用例５］上記適用例に係るプロジェクターにおいて、吸湿部は、二酸化珪素を含んで形成されていることが好ましい。
【００１６】
このようなプロジェクターによれば、吸湿部が二酸化珪素を含んで形成されることにより、水分を効率的に吸収し、また加熱部に加熱されることにより水分を排出することができる。
【００１７】
［適用例６］上記適用例に係るプロジェクターにおいて、吸湿部は、吸水性を有するポリマーで形成されていることが好ましい。
【００１８】
このようなプロジェクターによれば、吸湿部が吸水性を有するポリマーで形成されることにより、水分を効率的に吸収し、また加熱部に加熱されることにより水分を排出することができる。
【図面の簡単な説明】
【００１９】
【図１】実施形態に係るプロジェクターの光学系を示す図。
【図２】プロジェクターの構成を示す模式図。
【図３】プロジェクターの構成を示す模式図。
【発明を実施するための形態】
【００２０】
以下、実施形態を図面に基づいて説明する。
〔実施形態〕
【００２１】
図１は、実施形態に係るプロジェクター１の光学系を示す図である。図１を参照して、プロジェクター１の光学系の構成と動作を説明する。
【００２２】
本実施形態のプロジェクター１は、光源装置３０から射出される光束を画像情報に応じて変調してスクリーン（図示省略）等の投写面に拡大投写する装置である。本実施形態のプロジェクター１は、概直方体となる外装筐体１０で覆われている。
【００２３】
プロジェクター１は、外装筐体１０内部に、光学ユニット３（図１）の他、制御部（図示省略）、光源装置３０や制御部等に電力を供給する電源ユニット（図示省略）、およびプロジェクター１内部を冷却する冷却機構２（図２）等が備えられている。制御部は、ＣＰＵ（Central Processing Unit），ＲＯＭ（Read Only Memory），ＲＡＭ（Random Access Memory）等を備え、コンピューターとして機能するものであり、プロジェクター１の動作を統括制御している。また、外装筐体１０外面には、プロジェクター１の動作を指示する入力部（図示省略）が備えられている。
【００２４】
光学ユニット３は、図１に示すように、光源装置３０、照明光学装置３１、色分離光学装置３２、リレー光学装置３３、電気光学装置３４、およびこれら光学装置３０〜３４を内部に収容すると共に、投写レンズ３５を所定位置で支持固定する光学部品用筐体３６を備えて構成されている。
【００２５】
光源装置３０は、放電型の発光管３０１、リフレクター３０２を備え、光源用筐体３００に収容される。発光管３０１は、光学的位置を確保してリフレクター３０２に固定されている。光源装置３０は、発光管３０１から射出された光束をリフレクター３０２で反射させた後、平行化レンズ３１０に向けて射出する。本実施形態の光源装置３０は、超高圧水銀ランプを採用している。また、光源装置３０は、光学部品用筐体３６に対して、交換可能に設置されている。
【００２６】
照明光学装置３１は、平行化レンズ３１０と、第１レンズアレイ３１１と、第２レンズアレイ３１２と、偏光変換素子３１３と、重畳レンズ３１４と、コンデンサーレンズ３１５と、を備えている。なお、平行化レンズ３１０は、本実施形態では、光源装置３０の光源用筐体３００に設置されており、光源装置３０から射出された光束の射出方向を揃え、照明光軸ＯＡに対して平行化して照明光学装置３１（第１レンズアレイ３１１）に射出する。光軸としての照明光軸ＯＡは、光源装置３０から被照明領域側に射出される光束の中心軸である。第１レンズアレイ３１１は、光源装置３０から射出された光束を部分光束に分割し、照明光軸ＯＡに沿った方向に射出する。第２レンズアレイ３１２は、第１レンズアレイ３１１から射出された部分光束をそれぞれ重畳レンズ３１４に向けて射出する。
【００２７】
偏光変換素子３１３は、第２レンズアレイ３１２から射出されたランダム偏光光となる各部分光束を液晶パネル３４２で利用可能な１種類の偏光光に略揃える機能を有する。なお、第２レンズアレイ３１２から射出され、偏光変換素子３１３によって略１種類の偏光光に変換された各部分光束は、重畳レンズ３１４によって、液晶パネル３４２の表面に略重畳される。なお、重畳レンズ３１４から射出された光束は、コンデンサーレンズ３１５により平行化されて液晶パネル３４２に重畳される。コンデンサーレンズ３１５は、詳細には、後述する３色の色光毎に設けられている。
【００２８】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００２９】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４２Ｒまで導く。なお、本実施形態では、リレー光学装置３３がＲ光を導く構成としているが、これに限定されず、例えば、Ｂ光を導く構成としてもよい。
【００３０】
電気光学装置３４は、３つの入射側偏光板３４１と、透過型の光変調装置としての３つの液晶パネル３４２（Ｒ光用の液晶パネルを３４２Ｒ、Ｇ光用の液晶パネルを３４２Ｇ、Ｂ光用の液晶パネルを３４２Ｂとする）と、３つの射出側偏光板３４３と、１つのクロスダイクロイックプリズム３４５と、を備えている。
【００３１】
液晶パネル３４２（３４２Ｒ，３４２Ｇ，３４２Ｂ）は、色分離光学装置３２で色光毎に分離された光束を画像情報に応じて変調する。クロスダイクロイックプリズム３４５は、４つの直角プリズムを貼り合わせた平面視略正方形状を有し、直角プリズム同士を貼り合わせた界面には、２つの誘電体多層膜が形成されている。クロスダイクロイックプリズム３４５は、液晶パネル３４２Ｒ，３４２Ｇ，３４２Ｂで変調された各色光を合成し、投写レンズ３５に射出する。
【００３２】
投写レンズ３５は、複数のレンズを組み合わせた組レンズで構成され、電気光学装置３４で変調され合成された光束をスクリーン等の投写面上に拡大投写する。
【００３３】
なお、光学系を構成する光学素子は、有機部材および無機部材により構成されている。本実施形態では、有機部材により構成される光学素子は、入射側偏光板３４１、射出側偏光板３４３等である。また、偏光変換素子３１３、液晶パネル３４２は、無機部材および有機部材の双方を用いて構成されている。その他は無機部材により構成されている。
【００３４】
図２、図３は、プロジェクター１の構成を示す模式図である。また、図２は、プロジェクター１の使用状態（動作中）を示し、図３は、プロジェクター１の非使用状態（非動作中）を示している。なお、図２では、空気の流れを理解しやすくするために、電気光学装置３４の一部の符号を省略して示している。図２、図３を参照して、外装筐体１０内部の構成及び動作を説明する。
【００３５】
図２に示すように、本実施形態では、光源装置３０（リフレクター３０２）の背面に、粒状のシリカゲル５（いわゆる二酸化珪素）が、セメント６に混入されて固着されている。
【００３６】
ここで、シリカゲル５は、外装筐体１０内部の水分を吸収する吸湿部を構成している。また、セメント６は、加熱部の熱を吸湿部に伝達する伝達部を構成している。なお、セメント６は、本実施形態では、アルミナセメントを用いている。また、本実施形態では、吸湿部を加熱する加熱部として光源装置３０を用いている。吸湿部、加熱部、伝達部の動作に関しては後述する。
【００３７】
外装筐体１０には、本実施形態では、第１吸気口１１と第２吸気口１２と排気口１５とが備えられている。そして、第１吸気口１１と第２吸気口１２とに対応して、外装筐体１０内部には、冷却機構２を構成する第１吸気ファン２１と第２吸気ファン２２とが備えられている。また、排気口１５に対応して、外装筐体１０内部には、冷却機構２を構成する排気ファン２５が備えられている。
【００３８】
また、第１吸気口１１と第２吸気口１２と排気口１５とには、それぞれの口を開閉する開閉部７が備えられている。本実施形態では、開閉部７は、可動式のルーバーで構成されている。詳細には、第１吸気口１１に相対して第１吸気口１１を開閉する第１吸気口用ルーバー７１が備えられている。第２吸気口１２に相対して第２吸気口１２を開閉する第２吸気口用ルーバー７２が備えられている。そして、排気口１５に相対して排気口１５を開閉する排気口用ルーバー７５が備えられている。
【００３９】
開閉部７は、それぞれのルーバーを開閉する開閉機構部（図示省略）を備えている。開閉機構部は、詳細には、モーター（図示省略）と、モーターの動作に連動して、各ルーバーを開閉させるリンク機構（図示省略）とを備えている。
【００４０】
そして、開閉部７は、プロジェクター１が動作状態の場合、開閉機構部が駆動して各ルーバーを開放させる。ここで、「プロジェクター１が動作状態」とは、詳細には、入力部の電源キー（電源をオンにするためのキー）が押されて、その信号を制御部が受け付け、制御部の指示に基づき電源ユニットが各構成部に、画像の投写に必要な電力（動作電力）を供給開始する状態を含め、それ以降の状態をいう。この状態を、以降では、「動作状態」の他、「使用状態」または「使用時」と呼称する。また、開閉機構部は、詳細には、電源キー（電源をオンにするためのキー）が押された場合に、制御部の指示に基づいて、モーターを駆動し、モーターの駆動に従動させてリンク機構を駆動させて、各ルーバーを駆動（開放）させる。
【００４１】
また、開閉部７は、プロジェクター１が非動作状態の場合、開閉機構部が駆動して各ルーバーを閉塞させる。ここで、「プロジェクター１が非動作状態」とは、詳細には、入力部の電源キー（電源をオフにするためのキー）が押されて、その信号を制御部が受け付け、制御部の指示に基づき電源ユニットが各構成部への電力の供給を停止して、電源をオンにするための操作を待機する状態（待機状態）を含め、その後、電源ケーブル（図示省略）が取り外されて、完全に電源供給が停止した状態をいう。この状態を、以降では、「非動作状態」の他、「非使用状態」または「非使用時」と呼称する。また、開閉機構部は、詳細には、電源キー（電源をオフにするためのキー）が押された場合に、制御部の指示に基づいて、モーターを駆動し、モーターの駆動に従動させてリンク機構を駆動させて、各ルーバーを駆動（閉塞）させる。
【００４２】
この開閉部７の動作により、プロジェクター１が動作状態の場合、第１吸気口用ルーバー７１と第２吸気口用ルーバー７２と排気口用ルーバー７５とが、対応する第１吸気口１１と第２吸気口１２と排気口１５とを開放する。また、プロジェクター１が非動作状態の場合、第１吸気口用ルーバー７１と第２吸気口用ルーバー７２と排気口用ルーバー７５とが、対応する第１吸気口１１と第２吸気口１２と排気口１５とを閉塞する。
【００４３】
冷却機構２は、動作状態の場合、第１吸気ファン２１が駆動することにより、開放された第１吸気口１１を介して外気（空気）を吸気する。そして、第１吸気口１１から吸気された空気は、ダクト（図示省略）を介して光源装置３０および偏光変換素子３１３に流動する。光源装置３０および偏光変換素子３１３に流動した空気は、光源装置３０および偏光変換素子３１３の熱を奪い、ダクト（図示省略）を流動して排気ファン２５により、排気口１５から外装筐体１０外部に排気される。
【００４４】
また、冷却機構２は、動作状態の場合、第２吸気ファン２２が駆動することにより、開放された第２吸気口１２を介して外気（空気）を吸気する。そして、第２吸気口１２から吸気された空気は、ダクト（図示省略）を介して３つの液晶パネル３４２に流動する。液晶パネル３４２に流動した空気は、液晶パネル３４２の熱を奪い、ダクト（図示省略）を流動して排気ファン２５により、排気口１５から外装筐体１０外部に排気される。
【００４５】
プロジェクター１は、上述するように、冷却機構２により、光学ユニット３を構成する光学素子（光源装置３０、偏光変換素子３１３、液晶パネル３４２）を適正な温度となるように制御している。なお、冷却機構２は、第１吸気口１１および第２吸気口１２から吸気した空気により、その他の光学素子を冷却すると共に、電源ユニットや、制御部を実装する回路ブロック等を含め、外装筐体１０内部を冷却している。
【００４６】
なお、プロジェクター１が動作状態の場合、光源装置３０に設置されてセメント６に混入されたシリカゲル５は、光源装置３０（リフレクター３０２）からの熱がセメント６（伝達部）を介して伝熱される。そして、シリカゲル５は、本実施形態では、伝熱された熱により１５０℃以上となり、吸収（含有）している水分が排出される。詳細には、シリカゲル５に含有する水分が気化し、冷却機構２の動作により、排気口１５から排出（排気）される。この動作により、シリカゲル５は除湿されて乾燥した状態となる。
【００４７】
なお、シリカゲル５は、物質的に安定しており、吸湿による形状変化（膨張等）があまりなく、安全性が高い。また、シリカゲル５は、加熱により含有した水分を排出させることで再利用可能となり、繰り返し利用することができる。
【００４８】
ここで、プロジェクター１が非動作状態の場合、第１吸気口用ルーバー７１と第２吸気口用ルーバー７２と排気口用ルーバー７５とが、開閉機構部の駆動により、対応する第１吸気口１１と第２吸気口１２と排気口１５とを閉塞することで、外装筐体１０内部が密閉された状態となる。
【００４９】
プロジェクター１が非動作状態の場合、特に電源ケーブルが取り外された場合、外装筐体１０内部の温度は徐々に低下して、外気の温度と同様となる。そして、プロジェクター１を保管する場合、外装筐体１０内部の温度が外気に連動して変化する。
【００５０】
ここで、「保管する」とは、本実施形態は、プロジェクター１が非動作状態であり、電源ケーブルが接続された待機状態のままプロジェクター１を維持・保存しておくこと、および、電源ケーブルが取り外されたプロジェクター１を維持・保存しておくことをいう。なお、この状態を、以降では、「保管状態」または「保管時」と呼称する。
【００５１】
プロジェクター１の保管時には、外装筐体１０内部の温度が低下することにより、外装筐体１０内部の飽和水蒸気量が低下して湿度が上昇する。しかし、外装筐体１０内部には、乾燥したシリカゲル５が設置されているため、外装筐体１０内部の湿気（水分）がシリカゲル５に吸収される。このシリカゲル５の働きにより、湿度の上昇を抑制する。なお、外装筐体１０内部とは、光学素子が収納される光学部品用筐体３６内部（光学ユニット３内部）も含んでいる。
【００５２】
また、外装筐体１０内部を密閉状態としているため、外装筐体１０の外部の湿気が外装筐体１０内部に直接流入することを防止する。これにより、外装筐体１０内部の湿度の上昇を低減している。
【００５３】
このようなシリカゲル５の動作により、保管時において、有機部材で構成される光学素子に対しては、湿度の上昇を低減して光学性能の劣化を防止する。また、無機部材で構成される光学素子に対しては、カビ等の発生を防止して光学性能の劣化を防止する。
【００５４】
なお、プロジェクター１を保管状態から、再び、プロジェクター１を使用状態とした場合には、シリカゲル５は、上述したように、光源装置３０の熱により、保管時に吸収した水分を排出して乾燥される。
【００５５】
上述した実施形態によれば、以下の効果が得られる。
本実施形態のプロジェクター１は、非動作状態（非使用時）の場合には、シリカゲル５（吸湿部）が外装筐体１０内部の水分を吸収することにより、外装筐体１０内部の湿度を低減させることができる。また、動作状態（使用時）の場合には、光源装置３０（加熱部）がシリカゲル５を加熱することにより、シリカゲル５が吸収した水分を排出させることで、シリカゲル５を乾燥させることができる。これにより、保管時における外装筐体１０内部の湿度を管理することが可能となり、光源装置３０および光変調装置３４２を含む光学素子の結露等を防止することで、光学素子の光学性能の劣化を防止することができる。また、光源装置３０によりシリカゲル５を乾燥させることにより、シリカゲル５を繰り返して使用することができ、光学素子の光学性能の劣化防止を維持することができる。
【００５６】
本実施形態のプロジェクター１は、第１吸気口１１と第２吸気口１２と排気口１５と、第１吸気口１１と第２吸気口１２と排気口１５とを開閉する開閉部７と、を備えている。開閉部７は、プロジェクター１が動作状態の場合に、第１吸気口１１と第２吸気口１２と排気口１５とを開放する。これにより、冷却機構２の動作により、光学素子を適正に冷却することができる。また、開閉部７は、プロジェクター１が非動作状態の場合に、第１吸気口１１と第２吸気口１２と排気口１５とを閉塞する。これにより、プロジェクター１が非動作状態の場合（保管時）には、外装筐体１０内部を密閉状態とさせることができるため、外装筐体１０の外部の湿気が外装筐体１０内部に流入することを防止する。これにより、保管時における外装筐体１０内部の吸湿効率を向上させ、外装筐体１０内部の湿度の上昇を低減することができる。
【００５７】
本実施形態のプロジェクター１は、加熱部として光源装置３０を用いている。これにより、光源装置３０で発生する熱を有効に利用することができる。また、別の加熱部を外装筐体１０内部に設置する必要が無くなり、プロジェクター１の小型化を図ることができる。
【００５８】
本実施形態のプロジェクター１は、光源装置３０の熱をシリカゲル５に伝達する伝達部としてのセメント６を備えている。これにより、シリカゲル５が吸収した水分を効率的に排出させることができる。
【００５９】
本実施形態のプロジェクター１において、吸湿部は、シリカゲル（二酸化珪素）を含んで構成されている。これにより、外装筐体１０内部の水分を効率的に吸収し、また光源装置３０に加熱されることにより水分を排出することができる。
【００６０】
本実施形態の光源装置３０は、シリカゲル５（吸湿部）とセメント６（伝達部）とが固着されている。また、光源装置３０は、光学部品用筐体３６に対して、交換可能に設置されている。これにより、シリカゲル５は上述したように乾燥させることで再利用が可能ではあるが、光源装置３０を交換することにより、新たなシリカゲル５に交換することができるため、シリカゲル５の吸湿性能をよりよい状態で維持することができる。
【００６１】
これらの効果により、プロジェクター１は、光学品質が向上し、特に、光学素子が原因である表示異常を長期的に防止することができる。光学素子は、光と温度に加えて湿度によっても劣化が発生、または促進するため、湿度を抑制することが光学素子の長期信頼性を実現する。例えば、有機系の光学素子に使用される部材の一例であるＴＡＣ（トリアセチルセルロース）フィルムは、加水分解によって黄変する。また、有機系に限定されず、無機系の光学素子も湿度によって劣化が促進される場合がある。例えば、無機系の光学素子の一例であり、偏光板等に用いられるアルミ細線構造体は、酸化による光学特性（偏光度）低下や、欠陥点（光抜け）の成長が、湿度によって促進される。表示異常としては、色ムラ、コントラスト低下、光抜け等がある。なお、色ムラとは、投写画像において、部分的に色の濃淡が異なり、均一ではなくなる状態をいう。
【００６２】
なお、上述した実施形態に限定されず、その要旨を逸脱しない範囲において種々の変更や改良等を加えて実施することが可能である。変形例を以下に述べる。
【００６３】
前記実施形態のプロジェクター１は、吸湿部として、シリカゲル（二酸化珪素）を含んで構成されている。しかし、これに限定されず、吸湿部は、吸水性を有するポリマーで形成されていてもよい。なお、吸水性を有するポリマーとして、ウレタン樹脂系ポリマー、ポリビニルアルコール系ポリマー等を挙げることができる。使用する際には、ポリマーの特性に応じて、ポリマーに加わる温度等を適切に設定することや、ポリマーの設置場所や、ポリマーに熱を伝達する伝達部の特性を考慮することも必要である。これにより、ポリマーを用いても、前記実施形態と同様の効果が得られる。
【００６４】
前記実施形態のプロジェクター１は、開閉部７を備えているが、開閉部７を備えない構成であってもよい。この場合、保管時に、外装筐体１０により、外部の湿気の流入をある程度抑制し、シリカゲル５が外装筐体１０内部の水分を吸収することで、光学素子への結露を防止する一定の効果がある。また、開閉部７を備えないことにより、プロジェクター１の小型化を図ることができる。
【００６５】
前記実施形態のプロジェクター１は、伝達部としてのセメント６を備えている。しかし、光源装置３０を構成するリフレクター３０２を伝達部として構成してもよい。例えば、リフレクター３０２の材料となるガラス部材の中にシリカゲル５を混入して、リフレクター３０２を成形することでもよい。
【００６６】
前記実施形態のプロジェクター１は、伝達部としてのセメント６を備えている。しかし、これに限定されず、伝達部は加熱部からの熱を吸湿部に伝達できればよく、金属部材や合成樹脂部材等を伝達部として用いることができる。また、伝熱部としてヒートパイプ等を用いることもできる。なお、伝達部として、金属部材や合成樹脂部材やヒートパイプ等を用いることにより、吸湿を抑制したい光学素子（特に有機部材で構成される光学素子）の近くに吸湿部を設置することが可能となる。また、吸湿効果がより期待できる位置に吸湿部を設置することが可能となる。
【００６７】
前記実施形態のプロジェクター１において、吸湿部としてのシリカゲル５は、セメント６に混入されてリフレクター３０２に固着（固定）されている。しかし、シリカゲル５の固定の方法として、シリコン系樹脂等に混入し、塗布、加熱により固定してもよい。また、炭素系シート等を袋状に形成し、この中にシリカゲル５を入れた後、無機系の高耐熱接着剤等でその袋を固定してもよい。
【００６８】
前記実施形態のプロジェクター１は、加熱部として光源装置３０を用いている。しかし、ヒーター等の加熱部を別に設置してもよい。加熱部を別に設置することにより、加熱部の設置位置の自由度が向上し、吸湿させたい光学素子の近くに吸湿部を設置することが可能となる。
【００６９】
前記実施形態のプロジェクター１は、開閉部７として、可動式のルーバー（第１吸気口用ルーバー７１、第２吸気口用ルーバー７２、排気口用ルーバー７５）と、ルーバーを駆動する開閉機構部を備えている。また、開閉機構部は、モーターと、モーターの動作に連動して、各ルーバーを開閉させるリンク機構とを備えている。しかし、開閉部は、この構成に限定されず、吸気口（第１吸気口１１、第２吸気口１２）、排気口１５を開閉できる構成であればよい。たとえば、開閉部として、吸気口、排気口を開閉する板状部材を用い、開閉機構部として、モーター、ピニオン、ラックを用いる構成としてもよい。この構成では、板状部材にラックが形成され、モーターの駆動により、ピニオンが回転し、ラック（板状部材）がピニオンの回転に従動して移動することで、吸気口、排気口を開閉する。
【００７０】
前記実施形態のプロジェクター１は、開閉部７として、可動式のルーバーと、ルーバーを駆動する開閉機構部を備え、制御部に指示により、吸気口、排気口を開閉している。しかし、開閉部は、手動により、吸気口、排気口を開閉してもよい。この構成の場合、プロジェクター１の小型化を図ることができる。
【００７１】
本実施形態では、入射側偏光板３４１、射出側偏光板３４３等に有機部材、偏光変換素子３１３、液晶パネル３４２に無機部材および有機部材の双方を用いている。しかし、これに限られず、偏光板にアルミ細線構造等の無機部材を採用したり、レンズにプラスチック等の有機部材を採用したりすることができる。
【００７２】
前記実施形態のプロジェクター１は、光変調装置として透過型の光変調装置を用いている。しかし、これに限られず、反射型の光変調装置や、マイクロミラー型の光変調装置等、他の方式の光変調装置を採用することができる。なお、マイクロミラー型の光変調装置としては、例えば、ＤＭＤ（Digital Micromirror Device）を採用することができる。
【００７３】
前記実施形態のプロジェクター１は、光源装置３０として、放電型の光源を用いている。しかし、光源装置として固体光源を用いてもよい。固体光源としては、レーザー光源、ＬＥＤ（Light Emitting Diode）、有機ＥＬ（Electro Luminescence）素子、シリコン発光素子等の各種固体発光素子等を用いてもよい。
【符号の説明】
【００７４】
１…プロジェクター、５…シリカゲル（吸湿部）、６…セメント（伝達部）、７…開閉部、１０…外装筐体、１１…第１吸気口、１２…第２吸気口、１５…排気口、２１…第１吸気ファン、２２…第２吸気ファン、２５…排気ファン、３０…光源装置（加熱部）、７１…第１吸気口用ルーバー、７２…第２吸気口用ルーバー、７５…排気口用ルーバー、３４２…液晶パネル（光変調装置）。
【図１】
2015001686.tif 000003
【図２】
2015001686.tif 000004
【図３】
2015001686.tif 000005